【事件の表示】
　特願２０１３−２５１７８５号「袋入り歯科用材料、歯科用トレーへの印象採得材盛り付け方法、歯科用模型製作方法」拒絶査定不服審判事件について、次のとおり審決する。
【結　論】
　本件審判の請求は、成り立たない。
【理　由】
Ｉ　手続の経緯
　本願は、平成２５年１２月５日の出願であって、平成２６年１月１４日付けで拒絶の理由が通知され、その指定された期間内に平成２６年３月２４日付けで手続補正がなされたが、平成２６年４月３日付けで拒絶査定がされ、これに対し平成２６年７月７日に拒絶査定不服審判の請求がなされると同時に手続補正がされたものである。
　
II　平成２６年７月７日付けの手続補正についての補正却下の決定
［補正却下の決定の結論］
　平成２６年７月７日付けの手続補正（以下、「本件補正」という。）を却下する。
　
［理由］
１　補正後の本願発明
　本件補正により、特許請求の範囲の請求項１は、次のように補正された。
　「【請求項１】
　混練する歯科用粉末と液体が
一つの
使い捨て
　袋が外層と内層が積層された二層以上であり且つ内層が外層よりも低温で熱溶着可能な積層樹脂フィルム製であり、
　前記袋は前記内層同士が熱融着に
よりシール
　
粉末収容部と液体収容部の横幅は同じ又はほぼ同じであり、両収容部の連結方向の長さが、粉末収容部と液体収容部の横幅よりも長い細長であり、
　前記区画部は袋の周縁部のシール強度よりも弱いシール強度であって、袋を押して外力を加え
ると
歯科用粉末
　
前記粉末収容部は一回の使用量の歯科用粉末を収容密封できる広さであり、液体収容部は粉末収容部に収容される一回の使用量の歯科用粉末との混練に必要な混水比の量の液体を収容密封できる広さであり、
　
前記歯科用粉末は歯科用アルジネート粉末であり、
　
前記粉末収容部内には
アルジネート粉末
前記液体収容部内には一回の使用量の液体が収容密封され、
　前記歯科用
アルジネート粉末
前記袋内で液体と混練されてペースト状になった印象採得材を
　前記液体の
一回の使用
、粉末収容部内に収容された一回の使用量の歯科用アルジネート粉末と混練して、当該粉末をペースト状の印象採得材にするのに必要な混水比の量であり、
　
前記袋は混練作業者が手で揉んで歯科用アルジネート粉末
を混
柔軟性
　
前記粉末収容部内に一回の使用量の歯科用アルジネート粉末が収容密封され、前記液体収容部内に前記混水比の量の液体が収容された収容済みの袋は、混練作業者が片手で握ってその手で外から揉むことのできる横幅と厚さであり、
　
前記袋内で混練されて
一個又は数個の歯科用トレー内に直に
使い切る
　
前記歯科用トレー内に盛り付けた後に袋に残る印象採得材は、産業廃棄物として袋ごと廃棄できる少量である、
　ことを特徴とする袋入り
使い捨て
　
２　補正の目的等
　本件補正は、請求項１に記載した発明を特定するために必要な事項である「袋」に「一つの」との限定を付加し、「歯科用材料」に「使い捨て」との限定を付加し、「熱融着された区画部」に「シールされた」との限定を付加し、歯科用印象採得用粉末としての「歯科用粉末」を「歯科用アルジネート粉末」に限定し、「粉末収容部」と「液体収容部」について「粉末収容部と液体収容部の横幅は同じ又はほぼ同じであり、両収容部の連結方向の長さが、粉末収容部と液体収容部の横幅よりも長い細長であり」及び「前記粉末収容部は一回の使用量の歯科用粉末を収容密封できる広さであり、液体収容部は粉末収容部に収容される一回の使用量の歯科用粉末との混練に必要な混水比の量の液体を収容密封できる広さであり」との限定を付加し、液体の「歯科用粉末の混練に必要な量」を「一回の使用量」に限定し、歯科用粉末の「一回の使用量」に「袋内で液体と混練されてペースト状になった印象採得材」との限定を付加し、「液体の量」を「液体の一回の使用量」に限定し、収納済みの袋の「横幅と厚さ」に「混練作業者が片手で握ってその手で外から揉むことのできる」との限定を付加し、袋から押し出して歯科用トレーに盛り付けられるペースト状の「印象採得材」に「一個又は数個の歯科用トレー内に直に盛り付けて使い切ることができる量であり」との限定を付加し、廃棄される「印象採得材」に「袋に残る印象採得材は、産業廃棄物として袋ごと廃棄できる少量である」の限定を付加するものであり、かつ、補正後の請求項１に記載された発明は、補正前の請求項１に記載された発明と、産業上の利用分野及び解決しようとする課題が同一であるので、本件補正は、特許法第１７条の２第５項第２号の特許請求の範囲の減縮を目的とするものに該当する。
　
　そして、本件補正は、特許法第１７条の２第３項及び第４項に違反するところはない。
　
３　独立特許要件
　そこで、本件補正後の前記請求項１に記載された発明（以下、「本願補正発明」という。）が特許出願の際独立して特許を受けることができるものであるか（特許法第１７条の２第６項において準用する同法第１２６条第７項の規定に適合するか）について以下に検討する。
　
３−１　引用刊行物の記載事項
　原査定の拒絶の理由に引用された、本願出願前に頒布された刊行物である特開２００５−２３１６９１号公報（以下、「刊行物」という。）には、図面と共に次の事項が記載されている。
（ア）「【請求項１】
　包装袋を構成する積層体が、外側から内側に向かって、基材層と、イージーピール性層とを順次積層した積層体を使用して構成され、
かつ外周端部の周辺部を熱融着により密封する粉体を収納する室と、外周端部を熱融着により密封する液体を収納する室と、熱融着により前記の２室を区分する区分シール部とから構成され、
かつ、前記の区分シール部が、剥離容易なシール形状であり、
かつ、前記の区分シール部の内寸法が、前記の区分シール部と直交する２室のいずれの内寸法より短く形成され、
かつ、前記の区分シール部を剥離することにより粉体と液体とを混合し得ることを特徴とする包装袋。
　・・・
【請求項７】
　前記の粉体が、アルギン酸塩を主体とする原料粉末であり、かつ、前記の液体が水または水を主体とする液体であることを特徴とする請求項１〜５のいずれかに記載の包装袋。」
（イ）「【０００１】
　本発明は、内容物を混合するための包装袋に関し、更に詳しくは、粉体と液体とを混合する前に別々に収納し、使用時に区分シール部を剥離させて前記の粉体と液体とを包装袋に密封した状態で混合し得る包装袋に関するものである。」
（ウ）「【０００５】
　また、従来、歯科医院で使用する歯形を取るための印象材についても、アルギン酸塩を主体とする原料粉末と、水または水を主体とする液体とを計量スプーン、計量カップ等で計量してゴム製のボールに取り、スパテル等を用いて攪拌混合し、後に歯型取りの器具に注ぎ込んで硬化させて歯形を取ることが知られている。
　材料の計量において、材料の計量操作を誤ると設定どおりに固まらず、計量という煩雑な操作があり、原料粉末と水とを混合する場合、混合させた状態で印象材を放置すれば硬化が進むため、攪拌混合の作業にスピードとスキルをも要求され、更に、混合後において、混合に用いた容器やスパテルに印象材が硬化した状態で付着しているため、長時間の洗浄作業が必要であった。」
（エ）「【０００６】
　そこで、本発明は、粉体と液体との混合用包装袋において、袋形態、室と区分シール部の寸法の比率、室の形状、区分シール部の形状等を改良し、流通時等において各室が区画されているが、使用時において周辺シール部まで開封することなく、容易に区分シール部のみを選択的に剥離することによって等量程度の粉体と液体との内容物を混合して使用することができ、更に、周辺シールの角部に未溶解の粉体が残らず、均一に混合することができる粉体と液体との混合に有用な包装袋を提供することである。」
（オ）「【００１６】
　まず、本発明においては、包装袋を構成する積層体としては、図１に示すように、外側から内側に向かって、少なくとも、基材２と、イージーピール性層４とを順次積層する構成からなる積層体１０を使用することができる。・・・」
（カ）「【００１７】
　次に、本発明にかかる包装袋の構造の一例について、上記の図１〜図２に示す積層体１０を使用して製造した包装袋を例示して説明すると、図３に示すように、上記で製造した積層体１０を用いて、そのイージーピール性層２の面を対向して重ね合わせ、熱融着により室を区分する区分シール部１２が、区分シール部１２と平行方向の二室の内寸法Ｌが、前記の区分シール部と直交方向の内寸法Ｍ，Ｎのいずれより短くなるように二室２４、２６を区分され、前記の区分シール部１２により区画した二室のそれぞれに粉体と液体の内容物１４、１６を収納し、前記の包装袋の外周端部の周辺部８を熱融着により密封して、粉体１４を収納する室２４と、液体１６を収納する室１６とを収納する包装袋を構成し、使用時に前記の区分シール部１２を剥離させて前記の粉体と液体の内容物１４、１６を混合することができる包装袋２０を製造するものである。
　本発明においては、上記で製造した包装袋２０を例えば合掌シール部１８、２２の部分を手に持って両側に引っ張ること等によって、区分シール部１２の部分を剥離して、二室を連結させ、例えば、包装体の両端を両手で掴んで振ることにより二室に収納されている粉体と液体の内容物１４、１６を混合し、次いで開封してその使用に供することができるものである。」
（キ）「【００２２】
　図７は、図１または図２に示す積層体を用いて、２室の区分シール部を一方の室に突き出した形状の包装袋を示す斜視図である。
　本発明において、上記の区分シール部１２のシール形状は、図３〜図６に示すように所定のシール巾を有する直線状のものでもよいが、図７に示すように、一方の室に突き出した形状とすることによって、突起部２８を区分シール部１２の剥離における開始起点とすることができ、突起部２８の位置で確実かつ容易に剥離することができるという利点を奏する。
【００２３】
　図８は、本発明にかかる包装袋において、区分シール部１２のシール形状を例示する概略図である。
　本発明において、区分シール部１２のシール形状としては、上述の図７に示すようなＶ字形状の他、図８に示すように、充填包装する内容物等の種類によって一方の室に突き出した円弧状、または、直線状若しくは円弧状の一部をＵ字形やＶ字形の突起状等のシール形状にすることによって、区分シール部１２部を剥離容易なシール形状とすることができる。・・・」
（ク）「【００２６】
　次に、本発明にかかる包装袋を構成する材料について説明すると、まず、本発明にかかる積層体１０を構成する基材フィルム２としては、本発明にかかる包装袋を構成する基本素材となるものであり、機械的、物理的、化学的、その他等において優れた性質を有し、特に、耐熱性を有し、強度、剛性等に優れる樹脂のフィルムないしシートを使用することができ、具体的には、例えば、ポリエステル系樹脂、ポリアミド系樹脂、ポリアラミド系樹脂、ポリプロピレン系樹脂、ポリカーボネート系樹脂、ポリアセタール系樹脂、フッ素系樹脂、その他等の強靱な樹脂のフィルムないしシートを使用することができる。・・・
【００２７】
　次に、本発明において、積層体１０のイージーピール性フィルム４を構成する材料としては、凝集剥離タイプ、層間剥離タイプ、界面剥離タイプのいずれのイージーピール性（易開封性）タイプのヒートシール性樹脂のフィルムないしシ−トを使用することができ、具体的に、例えば、ポリプロピレンとポリスチレンのポリマーアロイ、ポリプロピレンとポリエチレンとのブレンド樹脂、エチレン−酢酸ビニル共重合体系樹脂、低密度ポリエチレン、中密度ポリエチレン、高密度ポリエチレン、線状低密度ポリエチレン、ポリプロピレン、アイオノマ−樹脂、エチレン−アクリル酸共重合体、エチレン−アクリル酸エチル共重合体、エチレン−メタクリル酸共重合体、エチレン−プロピレン共重合体、メチルペンテンポリマー、ポリブテンポリマー、酸変性ポリオレフィン系樹脂等からなるフィルムないしシートを使用することができる。・・・
　また、接着強度としては、０．１Ｎ／１５ｍｍ〜３０Ｎ／１５ｍｍの範囲にあることが好ましく、このことによって、シール条件（ヒートシール温度、圧力、加熱加圧時間）を変えることによって、シール強度を容易に調整することができるという利点を有するものである。・・・」
（ケ）「【００３６】
　次に、本発明において、包装袋内に内容物を充填包装する方法について説明すると、包装袋を製造する際に、例えば、外周端シール部８の周辺部に未ヒートシール部を設けて開口部を形成し、前記の包装袋の開口部から、例えば、・・・歯科治療に用いる歯型を取るための印象材に使用するアルギン酸塩を主体とする原料粉末を一方の室に充填して、開口部、即ち当該充填口を密封して外周端シール部８を形成し、次に他方の室に水または水を主体とする液体を充填し、当該充填口をヒートシールして外周端シール部８を形成して、本発明にかかる粉体と液体とを別々に密封する包装袋を製造することができる。
　なお、本発明において、二室を構成するそれぞれの室に内容物を充填包装するに際しては、充填前に内容物を計量して充填包装しておけば、その使用に際しては、単に、区分シール部１２を剥離し、包装袋内で混合するだけで、そのまま包装袋を開封して混合した内容物を取り出して使用することができることから、混合用容器等の洗浄作業が不要となり、各成分の計量の誤差も防止できるという利点がある。」
　
　摘記事項（ア）、（カ）及び（ケ）の記載からみて、刊行物には、混合する粉体１４と液体１６が一つの包装袋２０内に収容された包装袋入り歯科用材料が記載されている。また、粉末１４をアルギン酸塩を主体とする原料粉末とすることが記載されている。
　また、上記包装袋入り歯科用材料が使い捨てのものであることは明らかである。
　摘記事項（ア）、（カ）及び（ク）の記載を総合してみて、包装袋２０は、基材層とイージーピール層とが積層された二層であり且つイージーピール層が基材層よりも低温で熱融着可能な積層樹脂フィルム製であるといえる。
　摘記事項（カ）の記載からみて、包装袋は、イージーピール層の面を対向して重ね合わせて熱融着により密封された区分シール部１２で区分されて、粉体１４を収納する室２４と液体１６を収納する室２６を備えるといえる（審決注：摘記事項（カ）の「室１６」との記載は、「室２６」の誤記と認めて上記のとおり認定した。以下同様。）。
　摘記事項（カ）の、粉体を収納する室２４と液体を収納する室２６の、区分シール１２と平行方向の内寸法はＬであり、また、その内寸法Ｌは、区分シール１２と直交方向の内寸法Ｎ、Ｍのいずれよりも短いとの記載からみて、粉体１４を収納する室２４と液体１６を収納する室２６の区分シール１２と平行方向の内寸法は同じであり、両室の区分シール１２と直交する方向の内寸法が、粉体１４を収納する室２４と液体１６を収納する室２６の区分シール１２と平行方向の内寸法よりも長い細長であるといえる。
　摘記事項（ア）の「外周端部の周辺部を熱融着により密封する粉体を収納する室と、外周端部を熱融着により密封する液体を収納する室と、熱融着により前記の２室を区分する区分シール部とから構成され、かつ、前記の区分シール部が、剥離容易なシール形状であり、」との記載と、摘記事項（カ）の「本発明においては、上記で製造した包装袋２０を例えば合掌シール部１８、２２の部分を手に持って両側に引っ張ること等によって、区分シール部１２の部分を剥離して、二室を連結させ、例えば、包装体の両端を両手で掴んで振ることにより二室に収納されている粉体と液体の内容物１４、１６を混合し、次いで開封してその使用に供することができるものである。」との記載と、摘記事項（キ）の「本発明において、区分シール部１２のシール形状としては、上述の図７に示すようなＶ字形状の他、図８に示すように、充填包装する内容物等の種類によって一方の室に突き出した円弧状、または、直線状若しくは円弧状の一部をＵ字形やＶ字形の突起状等のシール形状にすることによって、区分シール部１２部を剥離容易なシール形状とすることができる。」との記載とを総合してみて、区分シール１２は包装袋２０の周縁部を熱融着により密封するシール強度よりも弱いシール強度であって、包装袋２０の合掌シール部１８の部分を手に持って両側に引っ張って外力を加えると剥離して粉体１４を収納する室２４と液体１６を収納する室２６が連通して、それぞれの室に収納されている粉末１４と液体１６が合流できるシール強度であるといえる。
　摘記事項（ア）の記載と、摘記事項（ウ）の「従来、歯科医院で使用する歯形を取るための印象材についても、アルギン酸塩を主体とする原料粉末と、水または水を主体とする液体とを計量スプーン、計量カップ等で計量してゴム製のボールに取り、スパテル等を用いて攪拌混合し、後に歯型取りの器具に注ぎ込んで硬化させて歯形を取ることが知られている。」との記載と、摘記事項（ケ）の「二室を構成するそれぞれの室に内容物を充填包装するに際しては、充填前に内容物を計量して充填包装しておけば、その使用に際しては、単に、区分シール部１２を剥離し、包装袋内で混合するだけで、そのまま包装袋を開封して混合した内容物を取り出して使用することができる」との記載とを総合してみて、包装袋２０の室２４内には粉体１４として所定量のアルギン酸塩を主体とする原料粉末が充填包装され、室２６内には所定量の液体１６が充填包装されているといえる。
　アルギン酸塩を主体とする原料粉末と液体１６と混合して得られる歯型取りの器具に注ぎ込むための印象材は一般にペースト状であることを考慮すると、アルギン酸塩を主体とする原料粉末の前記所定量は、包装袋２０内で液体１６と混合されてペースト状になった印象材を歯形取りの器具に注ぎ込むことに使われる所定量であるといえる。
　液体１６の前記所定量は、室２６内に収容された前記所定量のアルギン酸塩を主体とする原料粉末と混合して、当該原料粉末を、ペースト状の印象材にするのに必要な混水比の量であるといえる。
　室２４は上記の所定量の粉体１４を収納密封できる広さであり、室２６は室２４に収納される所定量の粉体１４との混合に必要な混水比の量の液体１６を収納密封できる広さであるといえる。
　アルギン酸塩を主体とする原料粉末の上記所定量と液体１６の上記所定量とが包装袋２０内で混合されて得られるペースト状になった印象材は、包装材２０を開封して取り出して、歯形取りの器具に注ぎ込むための所定量であるといえる。
　摘記事項（ア）の記載、摘記事項（カ）の「本発明においては、上記で製造した包装袋２０を例えば合掌シール部１８、２２の部分を手に持って両側に引っ張ること等によって、区分シール部１２の部分を剥離して、二室を連結させ、例えば、包装体の両端を両手で掴んで振ることにより二室に収納されている粉体と液体の内容物１４、１６を混合し、次いで開封してその使用に供することができるものである。」との記載、及び、摘記事項（ク）の「本発明にかかる積層体１０を構成する基材フィルム２としては、本発明にかかる包装袋を構成する基本素材となるものであり、機械的、物理的、化学的、その他等において優れた性質を有し、特に、耐熱性を有し、強度、剛性等に優れる樹脂のフィルムないしシートを使用することができ、」との記載とを総合してみて、包装袋２０は、使用者が振ってアルギン酸塩を主体とする原料粉末と液体１６を混合してペースト状の印象材にすることができる柔軟性と振っても破損しない強度を備えるといえる。
　
　これら記載事項及び図示内容を総合し、本願補正発明の記載ぶりに則って整理すると、刊行物には、次の発明（以下、「引用発明」という。）が記載されている。
　
　「混合する粉体１４と液体１６が一つの包装袋２０内に収容された包装袋入り使い捨て歯科用材料において、
　包装袋２０が基材層とイージーピール層とが積層された二層であり且つイージーピール層が基材層よりも低温で熱融着可能な積層樹脂フィルム製であり、
　包装袋２０は、イージーピール層の面を対向して重ね合わせて熱融着により密封された区分シール部１２で区分されて、粉体１４を収納する室２４と液体１６を収納する室２６を備え、
　粉体１４を収納する室２４と液体１６を収納する室２６の区分シール１２と平行方向の内寸法は同じであり、両室の区分シール１２と直交する方向の内寸法が、粉体１４を収納する室２４と液体１６を収納する室２６の区分シール１２と平行方向の内寸法よりも長い細長であり、
　区分シール１２は包装袋２０の周縁部を熱融着により密封するシール強度よりも弱いシール強度であって、包装袋２０の合掌シール部１８の部分を手に持って両側に引っ張って外力を加えると剥離して粉体１４を収納する室２４と液体１６を収納する室２６が連通して、それぞれの室に収納されている粉末１４と液体１６が合流できるシール強度であり、
　室２４は所定量の粉体１４を収納密封できる広さであり、室２６は室２４に収納される所定量の粉体１４との混合に必要な混水比の量の液体１６を収納密封できる広さであり、
　粉末１４はアルギン酸塩を主体とする原料粉末であり、
　室２４内には前記所定量のアルギン酸塩を主体とする原料粉末が充填包装され、室２６内には所定量の液体１６が充填包装され、
　アルギン酸塩を主体とする原料粉末の前記所定量は、包装袋２０内で液体１６と混合されてペースト状になった印象材を歯形取りの器具に注ぎ込むことに使われる所定量であり、
　液体１６の前記所定量は、室２６内に収容された前記所定量のアルギン酸塩を主体とする原料粉末と混合して、当該原料粉末を、ペースト状の印象材にするのに必要な混水比の量であり、
　包装袋２０は、使用者が振ってアルギン酸塩を主体とする原料粉末と液体１６を混合してペースト状の印象材にすることができる柔軟性と振っても破損しない強度を備え、
　包装袋２０内で混合されてペースト状になった印象材は、包装材２０を開封して取り出して、歯形取りの器具に注ぎ込むための所定量である、
包装袋入り使い捨て歯科用材料。」
　
３−２　対比
　本願補正発明と引用発明とを対比すると、その構造または機能からみて、引用発明の「混合する」、「粉体１４」、「液体１６」、「包装袋２０」、「包装袋入り使い捨て歯科用材料」は、それぞれ、本願補正発明の「混練する」、「歯科用粉末」、「液体」、「袋」、「袋入り使い捨て歯科用材料」に相当する。
　引用発明の「基材層」、「イージーピール層」、「熱融着可能」、「積層樹脂フィルム」は、それぞれ、本願補正発明の「外層」、「内層」、「熱溶着可能」、「積層樹脂フィルム」に相当する。
　引用発明の「イージーピール層の面を対向して重ね合わせて熱融着により密封された」、「区分シール部１２」、「区分されて」、「粉体１４を収納する室２４」、「液体１６を収納する室２６」は、それぞれ、本願補正発明の「内層同士が熱融着によりシールされた」、「区画部」、「仕切られて」、「粉末収容部」、「液体収容部」に相当する。
　引用発明の「区分シール１２と平行方向の内寸法」、「区分シール１２と直交する方向の内寸法」は、それぞれ、本願補正発明の「横幅」、「連結方向の長さ」に相当する。したがって、引用発明の「粉体１４を収納する室２４と液体１６を収納する室２６の区分シール１２と平行方向の内寸法は同じであり、両室の区分シール１２と直交する方向の内寸法が、粉体１４を収納する室２４と液体１６を収納する室２６の区分シール１２と平行方向の内寸法よりも長い細長であり」は、本願補正発明の「粉末収容部と液体収容部の横幅は同じ又はほぼ同じであり、両収容部の連結方向の長さが、粉末収容部と液体収容部の横幅よりも長い細長であり」に相当する。
　引用発明の「包装袋２０の周縁部を熱融着により密封するシール強度」、「剥離して」は、本願補正発明の「袋の周縁部のシール強度」、「破損して」に相当する。そして、引用発明の「区分シール１２は包装袋２０の周縁部を熱融着により密封するシール強度よりも弱いシール強度であって、包装袋２０の合掌シール部１８の部分を手に持って両側に引っ張ると剥離して粉体１４を収納する室２４と液体１６を収納する室２６が連通して、それぞれの室に収納されている粉末１４と液体１６が合流できるシール強度であり」と本願補正発明の「前記区画部は袋の周縁部のシール強度よりも弱いシール強度であって、袋を押して外力を加えると破損して前記粉末収容部と前記液体収容部が連通して、それぞれの収容部内に収容されている歯科用粉末と液体が合流できるシ―ル強度であり」とは、「前記区画部は袋の周縁部のシール強度よりも弱いシール強度であって、袋に外力を加えると破損して前記粉末収容部と前記液体収容部が連通して、それぞれの収容部内に収容されている歯科用粉末と液体が合流できるシ―ル強度であり」である点で一致する。
　引用発明の「室２４は所定量の粉体１４を収納密封できる広さであり、室２６は室２４に収納される所定量の粉体１４との混合に必要な混水比の量の液体１６を収納密封できる広さであり」と本願補正発明の「前記粉末収容部は一回の使用量の歯科用粉末を収容密封できる広さであり、液体収容部は粉末収容部に収容される一回の使用量の歯科用粉末との混練に必要な混水比の量の液体を収容密封できる広さであり」とは、「前記粉末収容部は所定量の歯科用粉末を収容密封できる広さであり、液体収容部は粉末収容部に収容される所定量の歯科用粉末との混練に必要な混水比の量の液体を収容密封できる広さであり」である点で一致する。
　引用発明の「アルギン酸塩を主体とする原料粉末」は本願補正発明の「歯科用アルジネート粉末」に相当する。
　引用発明の「室２４内には前記所定量のアルギン酸塩を主体とする原料粉末が充填包装され、室２６内には所定量の液体１６が充填包装され」と本願補正発明の「前記粉末収容部内には一回の使用量の歯科用アルジネート粉末が収容密封され、前記液体収容部内には一回の使用量の液体が収容密封され」とは、「前記粉末収容部内には所定量の歯科用アルジネート粉末が収容密封され、前記液体収容部内には所定量の液体が収容密封され」である点で一致する。
　引用発明の「歯形取りの器具に注ぎ込む」は、本願補正発明の「歯科用トレー内に盛りつける」に相当する。そして、引用発明の「アルギン酸塩を主体とする原料粉末の前記所定量は、包装袋２０内で液体１６と混合されてペースト状になった印象材を歯形取りの器具に注ぎ込むことに使われる所定量」と本願補正発明の「前記歯科用アルジネート粉末の一回の使用量は、前記袋内で液体と混練されてペースト状になった印象採得材を一個又は数個の歯科用トレー内に盛り付けることにより使い切りになる量」とは、「前記歯科用アルジネート粉末の所定量は、前記袋内で液体と混練されてペースト状になった印象採得材を一個又は数個の歯科用トレー内に盛り付けることに使われる所定量」である点で一致する。
　引用発明の「液体１６の前記所定量は、室２６内に収容された前記所定量のアルギン酸塩を主体とする原料粉末と混合して、当該原料粉末を、ペースト状の印象材にするのに必要な混水比の量であり」と本願補正発明の「前記液体の一回の使用量は、粉末収容部内に収容された一回の使用量の歯科用アルジネート粉末と混練して、当該粉末をペースト状の印象採得材にするのに必要な混水比の量であり」とは、「前記液体の所定量は、粉末収容部内に収容された所定量の歯科用アルジネート粉末と混練して、当該粉末をペースト状の印象採得材にするのに必要な混水比の量であり」である点で一致する。
　引用発明の「包装袋２０は、使用者が振ってアルギン酸塩を主体とする原料粉末と液体１６を混合してペースト状の印象材にすることができる柔軟性と振っても破損しない強度を備え」と本願補正発明の「前記袋は混練作業者が手で揉んで歯科用アルジネート粉末と液体を混練してペースト状の印象採得材にすることができる柔軟性と揉んでも破損しない強度を備え」とは、「前記袋は混練作業者が歯科用アルジネート粉末と液体を混練してペースト状の印象採得材にすることができる柔軟性と破損しない強度を備え」である点で一致する。
　引用発明の「包装袋２０を開封して取り出して」は本願補正発明の「当該袋の一部を開口して当該開口部から押し出して」に相当する。そして、引用発明の「包装袋２０内で混合されてペースト状になった印象材は、包装袋２０を開封して取り出して、歯形取りの器具に注ぎ込む所定量」と本願補正発明の「前記袋内で混練されてペースト状になった印象採得材は、当該袋の一部を開口して当該開口部から押し出して、一個又は数個の歯科用トレー内に直に盛り付けて使い切ることができる量」とは、「前記袋内で混練されてペースト状になった印象採得材は、当該袋の一部を開口して当該開口部から押し出して一個又は数個の歯科用トレー内に直に盛り付ける所定量」である点で一致する。
　
　以上から、両者は、
　「混練する歯科用粉末と液体が一つの袋内に収容された袋入り使い捨て歯科用材料において、
　袋が外層と内層が積層された二層以上であり且つ内層が外層よりも低温で熱溶着可能な積層樹脂フィルム製であり、
　前記袋は前記内層同士が熱融着によりシールされた区画部で仕切られて、粉末収容部と液体収容部を備え、
　粉末収容部と液体収容部の横幅は同じ又はほぼ同じであり、両収容部の連結方向の長さが、粉末収容部と液体収容部の横幅よりも長い細長であり、
　前記区画部は袋の周縁部のシール強度よりも弱いシール強度であって、袋に外力を加えると破損して前記粉末収容部と前記液体収容部が連通して、それぞれの収容部内に収容されている歯科用粉末と液体が合流できるシ―ル強度であり、
　前記粉末収容部は所定量の歯科用粉末を収容密封できる広さであり、液体収容部は粉末収容部に収容される所定量の歯科用粉末との混練に必要な混水比の量の液体を収容密封できる広さであり、
　前記歯科用粉末は歯科用アルジネート粉末であり、
　前記粉末収容部内には所定量の歯科用アルジネート粉末が収容密封され、前記液体収容部内には所定量の液体が収容密封され、
　前記歯科用アルジネート粉末の所定量は、前記袋内で液体と混練されてペースト状になった印象採得材を一個又は数個の歯科用トレー内に盛り付けることに使われる所定量であり、
　前記液体の所定量は、粉末収容部内に収容された所定量の歯科用アルジネート粉末と混練して、当該粉末をペースト状の印象採得材にするのに必要な混水比の量であり、
　前記袋は混練作業者が歯科用アルジネート粉末と液体を混練してペースト状の印象採得材にすることができる柔軟性と破損しない強度を備え、
　前記袋内で混練されてペースト状になった印象採得材は、当該袋の一部を開口して当該開口部から出して一個又は数個の歯科用トレー内に直に盛り付ける所定量である、
　ことを特徴とする袋入り使い捨て歯科用材料。」である点で一致し、次の点で相違する。
　
（相違点１）
　袋に外力を加えて破損する区画部のシ―ル強度について、本願補正発明は、袋を押して外力を加えると破損するシ―ル強度であるのに対し、引用発明は袋の合掌シール部１８の部分を手に持って両側に引っ張って外力を加えると破損するシ―ル強度である点。
（相違点２）
　歯科用アルジネート粉末及び液体の所定量について、本願補正発明は、歯科用アルジネート粉末の所定量が一回の使用量であって、その一回の使用量は、袋内で液体と混練されてペースト状になった印象採得材を一個又は数個の歯科用トレー内に盛り付けることにより使い切りになる量であり、液体の所定量が、一回の使用量であって、その一回の使用量は、歯科用アルジネート粉末の上記一回の使用量と混練して、当該粉末をペースト状の印象採得材にするのに必要な混水比の量であるのに対し、引用発明は、これらの所定量を特定できない点。
（相違点３）
　袋内で混練されてペースト状になった印象採得材の所定量について、本願補正発明は、一個又は数個の歯科用トレー内に直に盛り付けて使い切ることができる量であり、前記歯科用トレー内に盛り付けた後に袋に残る印象採得材は、産業廃棄物として袋ごと廃棄できる少量であるような量であるのに対し、引用発明は、印象採得材が歯科用トレー内に直に盛り付けることができる量であるものの、その量を特定できない点。
（相違点４）
　袋の強度について、本願補正発明は、手で揉んでも破損しない強度を備えているのに対し、引用発明はそのような強度を有しているかどうか不明な点。
（相違点５）
　袋の横幅と厚さについて、本願補正発明は、混練作業者が片手で握ってその手で外から揉むことのできる横幅と厚さであるのに対し、引用発明はそのような横幅と厚さであるかどうか不明な点。
　
３−３　相違点の判断
　最初に相違点３について検討する。
　摘記事項（ケ）の「歯科治療に用いる歯型を取るための印象材に使用するアルギン酸塩を主体とする原料粉末を一方の室に充填して、開口部、即ち当該充填口を密封して外周端シール部８を形成し、次に他方の室に水または水を主体とする液体を充填し、当該充填口をヒートシールして外周端シール部８を形成して、本発明にかかる粉体と液体とを別々に密封する包装袋を製造することができる。・・・使用に際しては、単に、区分シール部１２を剥離し、包装袋内で混合するだけで、そのまま包装袋を開封して混合した内容物を取り出して使用することができることから、混合用容器等の洗浄作業が不要となり、・・・」との記載からみて、刊行物には、歯型を取るためのアルギン酸塩を主体とする原料粉末を一方の室に充填し他方の室に液体を充填した区分シール部１２を有する包装袋について、区分シール部１２を剥離して前記原料粉末と前記液体とを包装体内で混合し、包装袋を開封してその混合した内容物を取り出して、そのまま使用することが記載されている。
　そうすると、このような上記記載の包装袋と同様の形態である引用発明の包装袋について、袋内で混練されてペースト状になった印象採得材を、包装袋を開封して取り出して、そのまま使用できるようにするために、その所定量を一個又は数個の歯科用トレー内に直に盛り付けて使い切ることができる量であり、前記歯科用トレー内に盛り付けた後に袋に残る印象採得材は、産業廃棄物として袋ごと廃棄できる少量であるような量とすることは、当業者であれば容易になし得る程度の事項にすぎない。
　
　次に相違点２について検討する。
　一般的に、ペースト状になった印象採得材の所定量が決定されれば、その所定量に対して必要な歯科用アルジネート粉末の所定量及び液体の所定量も必然的に決定されるものである。
　そうすると、上記したとおり、引用発明において、ペースト状になった印象採得材の所定量を一個又は数個の歯科用トレー内に直に盛り付けて使い切ることができる量とすることは、当業者が容易になし得る程度の事項にすぎないものである以上、歯科用アルジネート粉末の所定量について、一回の使用量であって、その一回の使用量は、袋内で液体と混練されてペースト状になった印象採得材を一個又は数個の歯科用トレー内に盛り付けることにより使い切りになる量とすること、及び、液体の所定量について、一回の使用量であって、その一回の使用量は、歯科用アルジネート粉末の上記一回の使用量と混練して、当該粉末をペースト状の印象採得材にするのに必要な混水比の量とすることは、いずれも当業者が容易になし得る程度の事項にすぎない。
　
　次に相違点１について検討する。
　一般的に、袋のシール部分を破損するために、当該袋を押して外力を加えたり、外から引っ張ったりすることは周知である。
　したがって、引用発明において、袋に外力を加えて破損する区画部のシ―ル強度を、袋を押して外力を加えると破損するシ―ル強度とすることは当業者が必要に応じてなし得る設計事項にすぎない。
　
　次に相違点４について検討する。
　一般的に、歯科用アルジネート粉末と液体とからなるペースト状の印象採得材は、これら歯科用アルジネート粉末と液体とが混練されることにより得られるものである。
　したがって、引用発明の袋について、区画部のシールを破損し歯科用アルジネート粉末と液体を外から揉んで混練するために、袋の強度を手で揉んでも破損しない強度とすることは、当業者が適宜なし得る設計事項にすぎない。
　
　次に相違点５について検討する。
　引用発明において、歯科用アルジネート粉末と液体との混練を、袋を片手で握って行えるようにするかどうかは、必要に応じて適宜決定する事項にすぎないと認められる。したがって、引用発明の袋を、混練作業者が片手で握ってその手で外から揉むことのできる横幅と厚さとすることも、当業者が適宜なし得る設計事項にすぎない。
　
　そして、本願補正発明による効果も、引用発明及び刊行物に記載されたものから当業者が予測し得た程度のものであって、格別のものとはいえない。
　
　したがって、本願補正発明は、引用発明及び刊行物に記載されたものに基づいて、当業者が容易に発明をすることができたものであるので、特許法第２９条第２項の規定により、特許出願の際独立して特許を受けることができない。
　
３−４　むすび
　したがって、本件補正は、特許法第１７条の２第６項において準用する同法第１２６条第７項の規定に違反するので、同法第１５９条第１項において読み替えて準用する同法第５３条第１項の規定により却下すべきものである。
　
III 本願発明
　本件補正は、上記のとおり却下されたので、本願の請求項１に係る発明（以下、同項記載の発明を、「本願発明」という。）は、平成２６年３月２４日付けの手続補正書により補正された特許請求の範囲の請求項１に記載された事項により特定される、以下のとおりのものである。
　「【請求項１】
　混練する歯科用粉末と液体が袋内に収容された袋入り歯科用材料において、
　袋は外層と内層が積層された二層以上であり且つ内層が外層よりも低温で熱溶着可能な積層樹脂フィルム製であり、
　前記袋は前記内層同士が熱融着された区画部で仕切られて、粉末収容部と液体収容部を備え、
　一回の使用量の歯科用粉末が前記粉末収容部内に収容密封され、当該歯科用粉末の混練に必要な量の液体が前記液体収容部内に収容密封され、
　前記歯科用粉末は歯科用印象採得用粉末であり、
　前記歯科用印象採得用粉末の一回の使用量は、一個又は数個の歯科用トレー内に盛り付けることにより使い切りになる量であり、
　前記液体の量は前記歯科用印象採得用粉末の混練に必要な混水比の量であり、
　前記区画部は袋の周縁部のシール強度よりも弱いシール強度であって、袋を押して外力を加えることにより破損して前記粉末収容部と前記液体収容部が連通して、それぞれの収容部内に収容されている歯科用印象採得用粉末と液体が合流するシ―ル強度であり、
　前記粉末収容部に歯科用印象採得用粉末が収容され、前記液体収容部に液体が収容された袋は、手で外から揉むことのできる柔軟性があり、手で外から揉むことにより、前記連通により合流した歯科用印象採得用粉末と液体を当該袋内で混練してペースト状の印象採得材にすることができる横幅と厚さであり、揉んで混練しても破損しない強度を備え、
　ペースト状の印象採得材は袋の一部を開口して当該袋から押し出すことにより歯科用トレーに盛り付けることができ、
　押し出し後の袋は、袋内の余剰ペースト状印象採得材ごと廃棄できる、
　ことを特徴とする袋入り歯科用材料。」
　
IV　引用例の記載事項
　原査定の拒絶の理由に引用された刊行物の記載事項は、前記II欄の３−１に記載したとおりである。
　
Ｖ　対比・判断
　本願発明の発明特定事項をすべて含み、さらに、他の発明特定事項を付加したものに相当する本願補正発明が、前記II欄の３−２及び３−３に記載したとおり、引用発明及び刊行物に記載されたものに基づいて、当業者が容易に発明をすることができたものであるから、本願発明も、同様に、引用発明及び刊行物に記載されたものに基づいて、当業者が容易に発明をすることができたものである。
　
VI　むすび
　以上のとおり、本願発明は、引用発明及び刊行物に記載された発明に基づいて、当業者が容易に発明をすることができたものであるから、特許法第２９条第２項の規定により、特許を受けることができない。
　よって、結論のとおり審決する。